(57)【要約】【課題】地図上の任意の位置を簡単に移動通信装置に目的地として設定することができる目的地設定システム及び目的地設定方法を提供すること。【解決手段】本発明の目的地設定方法においては、ＰＣ１の表示部で表示された地図上で特定の位置を直接選択し、選択した位置の位置情報を管理センタ３に送信し、この管理センタ３において位置情報を管理し、カーナビ４において管理センタ３から位置情報を取得し、カーナビ４の表示部で表示された地図上に、位置情報に対応する位置を目的地として設定する。【選択図】図１
2008197006.tif 000002
【特許請求の範囲】
【請求項１】
少なくとも地図情報を表示する第１表示手段及び前記第１表示手段で表示された地図上で直接選択した位置の位置情報を送信する送信手段を有する端末装置と、前記端末装置から送られた前記位置情報を管理する管理手段を有する管理センタと、地図情報を表示する第２表示手段及び前記第２表示手段で表示された地図上に、前記管理センタから取得した前記位置情報に対応する位置を目的地として設定する設定手段を有する移動通信装置と、を具備することを特徴とする目的地設定システム。
【請求項２】
前記管理手段は、前記第１表示手段で表示された地図上の位置を選択した回数を管理し、前記移動通信装置おいて、前記位置情報を前記回数の多い順に前記第２表示手段に表示させることを特徴とする請求項１記載の目的地設定システム。
【請求項３】
前記移動通信装置は、カーナビゲーション端末装置又は携帯端末装置であることを特徴とする請求項１又は請求項２記載の目的地設定システム。
【請求項４】
端末装置の第１表示手段で表示された地図上で特定の位置を直接選択する工程と、前記選択した位置の位置情報を管理センタに送信する工程と、前記管理センタにおいて前記位置情報を管理する工程と、移動通信装置において前記管理センタから前記位置情報を取得する工程と、前記移動通信装置の第２表示手段で表示された地図上に、前記位置情報に対応する位置を目的地として設定する工程と、を具備することを特徴とする目的地設定方法。
【請求項５】
前記管理センタにおいて、前記第１表示手段で表示された地図上の位置を選択した回数を管理し、前記移動通信装置おいて、前記位置情報を前記回数の多い順に前記第２表示手段に表示させることを特徴とする請求項４記載の目的地設定方法。
【発明の詳細な説明】
【技術分野】
【０００１】
本発明は、移動通信装置のナビゲーションシステムに目的地を設定する目的地設定システム及び目的地設定方法に関する。
【背景技術】
【０００２】
従来から、パーソナルコンピュータにより得られた位置を目的地として移動通信装置であるナビゲーション装置に設定する技術が開発されている。例えば、特許文献１には、インターネット上で見つけた目的地をナビゲーション装置に設定することができ、速やかにルート探索することができるナビゲーション装置が開示されている。具体的には、特許文献１に開示された方法においては、ＵＲＬ（Uniform Resource Locator）を含むリンク情報が設けられたホームページの該リンク情報に基づいてアクセスされたときに、そのＵＲＬに基づいて登録された位置情報を目的地としてナビゲーション装置に設定する。
【特許文献１】特開２００２−５５９０３号公報
【発明の開示】
【発明が解決しようとする課題】
【０００３】
しかしながら、特許文献１に開示された方法においては、ＵＲＬに基づいて登録された位置情報をナビゲーション装置に設定するので、地図上の任意の位置をナビゲーション装置に設定することができない。特許文献１に開示された方法で地図上の任意の位置を設定するとすれば、その地図上の任意の位置を登録したホームページが存在しなければならない。このように、上記方法では、実質的に地図上の任意の位置を移動通信装置に設定することができない。
【０００４】
本発明はかかる点に鑑みてなされたものであり、地図上の任意の位置を簡単に移動通信装置に目的地として設定することができる目的地設定システム及び目的地設定方法を提供することを目的とする。
【課題を解決するための手段】
【０００５】
本発明の目的地設定システムは、少なくとも地図情報を表示する第１表示手段及び前記第１表示手段で表示された地図上で直接選択した位置の位置情報を送信する送信手段を有する端末装置と、前記端末装置から送られた前記位置情報を管理する管理手段を有する管理センタと、地図情報を表示する第２表示手段及び前記第２表示手段で表示された地図上に、前記管理センタから取得した前記位置情報に対応する位置を目的地として設定する設定手段を有する移動通信装置と、を具備することを特徴とする。
【０００６】
この構成によれば、端末装置において地図アプリケーションにおいて、あるいはブラウザ上の地図において、任意の位置を選択すると、管理センタでその位置情報を管理して、その位置情報を移動通信装置との間で共有化するので、その位置を自動的に移動通信装置に設定することが可能となる。すなわち、本発明の目的地設定システムによれば、地図上の任意の位置を簡単に移動通信装置に目的地として設定することができる。
【０００７】
本発明の目的地設定システムにおいては、前記管理手段は、前記第１表示手段で表示された地図上の位置を選択した回数を管理し、前記移動通信装置おいて、前記位置情報を前記回数の多い順に前記第２表示手段に表示させることが好ましい。
【０００８】
本発明の目的地設定システムにおいては、前記移動通信装置は、カーナビゲーション端末装置又は携帯端末装置であることが好ましい。
【０００９】
本発明の目的地設定方法は、端末装置の第１表示手段で表示された地図上で特定の位置を直接選択する工程と、前記選択した位置の位置情報を管理センタに送信する工程と、前記管理センタにおいて前記位置情報を管理する工程と、移動通信装置において前記管理センタから前記位置情報を取得する工程と、前記移動通信装置の第２表示手段で表示された地図上に、前記位置情報に対応する位置を目的地として設定する工程と、を具備することを特徴とする。
【００１０】
この方法によれば、端末装置において地図アプリケーションにおいて、あるいはブラウザ上の地図において、任意の位置を選択すると、管理センタでその位置情報を管理して、その位置情報を移動通信装置との間で共有化するので、その位置を自動的に移動通信装置に設定することが可能となる。すなわち、本発明の目的地設定システムによれば、地図上の任意の位置を簡単に移動通信装置に目的地として設定することができる。
【００１１】
本発明の目的地設定方法においては、前記管理センタにおいて、前記第１表示手段で表示された地図上の位置を選択した回数を管理し、前記移動通信装置おいて、前記位置情報を前記回数の多い順に前記第２表示手段に表示させることが好ましい。
【発明の効果】
【００１２】
本発明によれば、端末装置の第１表示手段で表示された地図上で特定の位置を直接選択し、前記選択した位置の位置情報を管理センタに送信し、前記管理センタにおいて前記位置情報を管理し、移動通信装置において前記管理センタから前記位置情報を取得し、前記移動通信装置の第２表示手段で表示された地図上に、前記位置情報に対応する位置を目的地として設定するので、地図上の任意の位置を簡単に移動通信装置に目的地として設定することができる。
【発明を実施するための最良の形態】
【００１３】
以下、本発明の実施の形態について、添付図面を参照して詳細に説明する。
図１は、本発明の実施の形態に係る目的地設定システムを説明するための概略構成を示す図である。図１に示すシステムは、端末装置であるＰＣ１と、このＰＣ１とインターネット２のようなネットワークを介して接続された管理センタ３と、ＰＣ１及び管理センタ３とインターネット２のようなネットワークを介して接続されたカーナビゲーションシステム（カーナビ）４を搭載した車両と、ＰＣ１及び管理センタ３とインターネット２のようなネットワーク及び移動通信網５を介して接続された携帯端末６とから主に構成されている。
【００１４】
ＰＣ１は、インターネット２を介して管理センタ３及びカーナビ４と通信を行うことができると共に、インターネット２及び移動通信網５を介して携帯端末６と通信を行うことができる。ＰＣ１は種々の地図アプリケーションにおいて、あるいはブラウザ上で地図を表示できる機能を有する。
【００１５】
管理センタ３は、ＰＣ１との間で目的地設定アプリケーションを起動させて、ＰＣ１において地図上で選択した位置の位置情報をＰＣ１から受信する。また、管理センタ３は、カーナビ４や携帯端末６との間で目的地設定アプリケーションを起動させて、ユーザが管理センタ３にアップロードした位置情報をカーナビ４や携帯端末６にダウンロードする。
【００１６】
カーナビ４は、ＧＰＳ（Global  Positioning  System）により自装置の位置情報を取得し、その位置情報を地図上に重畳して表示する。また、カーナビ４は、管理センタ３との間で目的地設定アプリケーションを起動させて、ユーザが管理センタ３にアップロードした位置情報を取得する。携帯端末６は、他の携帯端末との間で通話を行うと共に、他の携帯端末や通信端末とメール送受信を行う。また、携帯端末６は、管理センタ３との間で目的地設定アプリケーションを起動させて、ユーザが管理センタ３にアップロードした位置情報を取得する。
【００１７】
ネットワークには、インターネット２をはじめその他のネットワーク、例えばＬＡＮやＷＡＮなども含まれる。移動通信網５は、携帯端末６とＰＣ１やカーナビ４のような通信端末との間のネットワークである。この移動通信網５には、通常の移動通信網に加えて移動パケット通信網も含まれる。
【００１８】
図２は、図１に示す目的地設定システムにおけるＰＣ１の概略構成を示すブロック図である。なお、図２に示す構成は、本発明を説明するために簡略化したものであり、通常のＰＣに搭載される構成要素は備えているものとする。
【００１９】
ＰＣ１は、装置全体を制御する制御部１１と、インターネット２を介して管理センタ３やカーナビ４との間で通信を行うと共に、インターネット２及び移動通信網５を介して携帯端末６との間で通信を行う通信制御部１２と、種々のデータや情報を表示する表示部１３と、表示部における操作、例えば画面上に表示された地図上の位置選択などの種々の操作を行う操作部１４と、装置に搭載され、あるいはダウンロードされた種々のアプリケーションを起動するアプリ制御部１５とから主に構成されている。
【００２０】
通信制御部１２は、インターネット２を介して管理センタ３やカーナビ４との間で通信を行う。この場合、表示部１３の画面上に表示された地図上で選択された位置の情報を管理センタ３にアップロードする。その他、通信制御部１２は、インターネット２及び移動通信網５を介して携帯端末６との間で通信を行う。
【００２１】
表示部１３は少なくとも地図情報を表示する。表示部１３は、例えば、地図アプリケーションにおいて、あるいはブラウザ上で地図を表示する。また、操作部１４は、表示部１３で表示された地図上の位置を直接選択する。例えば、操作部１４により、地図上の任意の位置をクリックあるいはダブルクリックすることにより直接選択する。
【００２２】
アプリ制御部１５は、装置に搭載され、あるいはダウンロードされた目的地設定アプリケーションを起動させる。この場合の目的地設定アプリケーションは、表示部１３で表示された地図上の任意の位置を操作部１４で選択することにより、その位置に対応する位置情報を管理センタ３にアップロードするアプリケーションである。したがって、このアプリケーションにおいて、表示部１３で表示された地図上で直接選択した位置の位置情報を、通信制御部１２を介して管理センタ３に送信する。
【００２３】
図３は、図１に示す目的地設定システムにおける管理センタ３の概略構成を示すブロック図である。管理センタ３は、装置全体を制御する制御部３１と、インターネット２を介してＰＣ１やカーナビ４との間で通信を行うと共に、インターネット２及び移動通信網５を介して携帯端末６との間で通信を行う通信制御部３２と、ＰＣ１から送られた位置情報を管理する管理部３３と、本サービスを受ける移動通信装置、すなわちカーナビ４や携帯端末６の登録を行う登録部３４と、装置に搭載され、あるいはダウンロードされた種々のアプリケーションを起動するアプリ制御部３５とから主に構成されている。
【００２４】
通信制御部３２は、インターネット２を介してＰＣ１やカーナビ４との間で通信を行うと共に、インターネット２及び移動通信網５を介して携帯端末６と通信を行う。この場合、通信制御部３２は、ＰＣ１において、表示部１３の画面上に表示された地図上で選択された位置の情報を受信すると共に、管理部３３で管理した位置情報をカーナビ４や携帯端末６に送信する。
【００２５】
管理部３３は、ＰＣ１から送られた位置情報を管理する。管理部３３は、位置情報と共に、ユーザが特定の位置に対して何回設定を行ったか、すなわち画面上に表示された地図上で選択した回数や、実際にその場所に訪問したかどうかについても管理する。管理部３３は、例えば、ユーザ毎に図４に示すようなテーブルを有している。ここでは、ＰＣ１の表示部１３で表示された地図上の位置の位置情報（例えば、住所や緯度・経度）と、地図上で設定した回数と、実際の訪問の有無が関連づけられている。なお、テーブルにおいて関連づける項目については、少なくとも位置情報が含まれていれば良く、適宜変更することができる。管理部３３では、ＰＣ１で選択された位置情報がテーブルに含まれているかどうかを判断し、テーブルに含まれていなければ新たな位置情報であるとしてテーブルに欄を追加し、テーブルに含まれていれば設定数を１つインクリメントする。また、カーナビ４や携帯端末６においてその位置が目的地として設定され、まだ訪問したことがない場合に、その場所を訪問して、その場所を訪問した旨の通知をカーナビ４や携帯端末６から受けたときは、テーブルで訪問「無」を訪問「有」に変更する。
【００２６】
登録部３４は、カーナビ４や携帯端末６が本サービスを受けるための登録処理を行う。登録の方法については特に制限はない。登録部３４で登録がなされると、そのユーザのカーナビ４や携帯端末６などの移動通信装置が本サービスを利用できるようになる。すなわち、ＰＣ１の画面に表示された地図上で直接選択した位置情報を受信することが可能となる。
【００２７】
アプリ制御部３５は、装置に搭載され、あるいはダウンロードされた目的地設定アプリケーションを起動させる。この場合の目的地設定アプリケーションは、表示部１３で表示された地図上の任意の位置を操作部１４で選択することにより、その位置に対応する位置情報を管理センタ３にアップロードするアプリケーションである。したがって、このアプリケーションにおいて、表示部１３で表示された地図上で選択された位置に対応する位置情報を、通信制御部３２を介して受信する。
【００２８】
図５は、図１に示す目的地設定システムにおけるカーナビ４の概略構成を示すブロック図である。なお、図５に示す構成は、本発明を説明するために簡略化したものであり、通常のカーナビに搭載される構成要素は備えているものとする。
【００２９】
カーナビ４は、装置全体を制御する制御部４１と、インターネット２を介してＰＣ１や管理センタ３との間で通信を行う通信制御部４２と、地図情報を表示する表示部４３と、種々の操作を行う操作部４４と、自装置の位置を測定するＧＰＳ部４５と、表示部４３で表示された地図上に、管理センタ３から取得した位置情報に対応する位置を目的地として設定する目的地設定部４６と、装置に搭載され、あるいはダウンロードされた種々のアプリケーションを起動するアプリ制御部４７とから主に構成されている。
【００３０】
通信制御部４２は、インターネット２を介してＰＣ１や管理センタ３との間で通信を行う。この場合、通信制御部４２は、管理センタ３から送信された位置情報を受信する。
【００３１】
表示部４３は少なくとも地図情報を表示する。また、表示部４３は、管理センタ３から取得した位置情報に関連する位置を地図上に表示する。また、表示部４３は、管理センタ３から取得した情報に基づいて、特定の位置に関して、ＰＣ１の画面上に表示された地図上で選択した回数の多い順に表示させる。すなわち、選択した回数が多いということを、そのユーザが興味のあることとしてプロファイリングして、表示部４３で優先的に表示させる。
【００３２】
目的地設定部４６は、管理センタ３から取得した位置情報に対応する位置を目的地として設定する。すなわち、目的地設定部４６は、管理センタ３から取得した位置情報、すなわちＰＣ１の画面上に表示された地図でユーザが直接選択した位置を、ユーザの指示により、あるいは自動的に、目的地として設定して、表示部４３に表示された地図上に重畳する。なお、目的地の表示態様については特に制限はない。
【００３３】
アプリ制御部４７は、装置に搭載され、あるいはダウンロードされた目的地設定アプリケーションを起動させる。この場合の目的地設定アプリケーションは、管理センタ３で管理されている位置情報や設定数の情報をカーナビ４にダウンロードするアプリケーションである。したがって、このアプリケーションにおいて、管理センタ３で管理された情報を、通信制御部４２を介して受信する。
【００３４】
携帯端末６は、カーナビ４と同様の構成を備えており、表示部で地図情報を表示すると共に、表示部で表示された地図上に、管理センタ３から取得した位置情報に対応する位置を目的地として設定する。このため、携帯端末６は、本システムにおいて、移動通信装置としてカーナビ４と同様の機能を有する。
【００３５】
このように、本発明の目的地設定システムによれば、ＰＣ１において地図アプリケーションにおいて、あるいはブラウザ上の地図において、任意の位置を選択すると、管理センタ３でその位置情報を管理して、その位置情報をカーナビ４や携帯端末６との間で共有化するので、その位置を自動的にカーナビ４や携帯端末６に設定することが可能となる。すなわち、本発明の目的地設定システムによれば、地図上の任意の位置を簡単にカーナビ４や携帯端末６に目的地として設定することができる。
【００３６】
次に、本発明の実施の形態に係る目的地設定方法について図６〜図８を用いて説明する。図６は、本発明の実施の形態に係る目的地設定方法の一例を示す図であり、図７（ａ）〜（ｇ）は、本発明の実施の形態に係る目的地設定システムにおけるＰＣでの画面表示例を示す図であり、図８（ａ）〜（ｆ）は、本発明の実施の形態に係る目的地設定システムにおけるカーナビでの画面表示例を示す図である。
【００３７】
本発明の目的地設定方法においては、端末装置の第１表示手段で表示された地図上で特定の位置を直接選択し、前記選択した位置の位置情報を管理センタに送信し、前記管理センタにおいて前記位置情報を管理し、移動通信装置において前記管理センタから前記位置情報を取得し、前記移動通信装置の第２表示手段で表示された地図上に、前記位置情報に対応する位置を目的地として設定する。
【００３８】
まず、目的地設定するカーナビ４の設定を行う。すなわち、管理センタ３に対してカーナビ４の端末登録を行う（ＳＴ１１）。この場合、管理センタ３の登録部３４で登録処理が行われ、管理部３３において、登録されたカーナビ４の情報が更新される（ＳＴ１２）。このとき、カーナビ４側から端末登録を行っても良く、図７（ａ）〜（ｃ）に示すような手順で、ＰＣ１側で端末登録を行っても良い。
【００３９】
次いで、ＰＣ１のアプリ制御部１５で目的地設定アプリケーションを起動させる（ＳＴ１３）。そして、表示部１３に表示された地図上で任意の位置を選択する。この場合、操作部１４で任意の位置を１クリックすると、図７（ｄ）に示すようにその位置に関する情報（ここでは住所）が表示される。操作部１４で任意の位置をダブルクリックすると、図７（ｅ），（ｆ）に示すように、目的地候補として設定するかどうかの確認画面が表示される。そして、「ＯＫ」を選択することにより、位置設定（選択）が行われる（ＳＴ１４）。この選択された位置の情報は、管理センタ３に送信され、管理センタ３の管理部３３で管理される。この目的地候補は複数設定しても良い。
【００４０】
次いで、カーナビ４のアプリ制御部４７で目的地設定アプリケーションを起動させると（ＳＴ１６）、ここでは、図８（ａ）に示すように、識別情報を入力してログインすると、図８（ｂ）に示すように、管理センタ３から目的地候補、すなわち管理部３３で管理している位置情報を取得する。具体的には、カーナビ４側から目的地候補の情報を要求して（ＳＴ１７）、管理センタ３がその要求に応じて目的地候補の情報をカーナビ４に送信する（ＳＴ１８）。そして、図８（ｃ）に示すように、カーナビ４の表示部４３で目的地候補が表示される。
【００４１】
次いで、ユーザが一つの目的地候補を選択すると、図８（ｄ）に示すように、目的地候補として設定するかどうかの確認画面が表示される。そして、「ＯＫ」を選択することにより、図８（ｅ）に示すように目的地設定部４６で目的地設定が行われる（ＳＴ１９）。
【００４２】
このように目的地が設定されたカーナビ４にしたがって目的地に車両が到達すると、カーナビ４は、図８（ｆ）に示すように、設定された目的地に到着した旨の信号を管理センタ３に通知する（ＳＴ２０）。管理センタ３においては、設定した目的地に到着した情報（訪問情報）を管理部３３で更新する（ＳＴ２１）。これにより、訪問情報は目的地設定アプリケーションにおいて共有可能となる。したがって、ＰＣ１で目的地設定アプリケーションを起動した状態で、以前目的地設定して訪問した場所については、図７（ｇ）に示すように、訪問情報が表示される。
【００４３】
本発明は上記実施の形態に限定されず、種々変更して実施することが可能である。例えば、上記実施の形態においては、目的地候補を設定する際の操作をダブルクリックとしているが、本発明はこれに限定されず、目的地候補を設定する際の操作がダブルクリック以外の操作であっても良い。また、本発明の範囲を逸脱しない限りにおいて、処理部や処理手順については適宜変更して実施することが可能である。その他、本発明の範囲を逸脱しないで適宜変更して実施することが可能である。
【図面の簡単な説明】
【００４４】
【図１】本発明の実施の形態に係る目的地設定システムの概略構成を示す図である。
【図２】図１に示す目的地設定システムにおけるＰＣの概略構成を示すブロック図である。
【図３】図１に示す目的地設定システムにおける管理センタの概略構成を示すブロック図である。
【図４】図３に示す管理センタの管理部におけるテーブルを示す図である。
【図５】図１に示す目的地設定システムにおけるカーナビの概略構成を示すブロック図である。
【図６】本発明の実施の形態に係る目的地設定方法の一例を示す図である。
【図７】（ａ）〜（ｇ）は、本発明の実施の形態に係る目的地設定システムにおけるＰＣでの画面表示例を示す図である。
【図８】（ａ）〜（ｆ）は、本発明の実施の形態に係る目的地設定システムにおけるカーナビでの画面表示例を示す図である。
【符号の説明】
【００４５】
１  ＰＣ
２  インターネット
３  管理センタ
４  カーナビ
５  移動通信網
６  携帯端末
１１，３１，４１  制御部
１２，３２，４２  通信制御部
１３，４３  表示部
１４，４４  操作部
１５，３５，４７  アプリ制御部
３３  管理部
３４  登録部
４５  ＧＰＳ部
４６  目的地設定部
【図１】
2008197006.tif 000003
【図２】
2008197006.tif 000004
【図３】
2008197006.tif 000005
【図４】
2008197006.tif 000006
【図５】
2008197006.tif 000007
【図６】
2008197006.tif 000008
【図７】
2008197006.tif 000009
【図８】
2008197006.tif 000010